(57)【要約】【課題】望遠鏡の視野の中央部（注目している部位）と、同一の視野の周縁部（注目部位から離れている部位）とを同時に視認することができ、しかも、視野の周縁部の倍率よりも、視野の中央部の倍率が高い状態で物体を視認することができる望遠鏡を提供することを目的とする。【解決手段】光軸から離れるに従って曲率が大きくなる対物レンズと、上記対物レンズを通過した光を、所定の平面に結像させる結像レンズとを有する単眼鏡である。【選択図】図１
2014228698.tif 000002
【特許請求の範囲】
【請求項１】
光軸から離れるに従って曲率が大きくなる対物レンズと；
上記対物レンズを通過した光を、所定の平面に結像させる結像レンズと；
を有することを特徴とする単眼鏡。
【請求項２】
請求項１において、
上記対物レンズは、上記光軸から遠ざかるに従って、上記曲率が連続的にまたは段階的に変化するレンズであることを特徴とする単眼鏡。
【請求項３】
請求項１において、
上記対物レンズは、その画角が５度〜２００度であることを特徴とする単眼鏡。
【請求項４】
請求項１において、
上記単眼鏡は、遠隔手術装置に使用され、遠隔からの指令信号によって手術器具を操作する際に、手術部位を中心とする領域を観察するために使用されていることを特徴とする単眼鏡。
【請求項５】
請求項１において、
上記単眼鏡は、観察ロボットの周囲を観察するために使用されていることを特徴とする単眼鏡。
【請求項６】
画角が１０度〜２００度の対物レンズであって、
光軸から離れるに従って曲率が大きくなる対物レンズと、上記対物レンズを通過した光を、所定の平面に結像させる結像レンズとを具備する単眼鏡を有することを特徴とする内視鏡。
【請求項７】
請求項１において、
上記対物レンズは、光軸から離れるに従って曲率が大きくなるレンズ部分が、上記対物レンズ中の一部分であり、上記一部分以外の部分は、一定の曲率を具備するレンズであることを特徴とする単眼鏡。
【請求項８】
請求項７において、
上記対物レンズにおいて、上記対物レンズ中の一部分は、円形の領域、楕円形の領域、半円形の領域、扇状の領域、三角形の領域、四角形の領域、五角形以上の角形の領域のいずれかの領域であることを特徴とする単眼鏡。
【請求項９】
画角が５度〜１２０度の対物レンズであって、光軸から離れるに従って曲率が大きくなる対物レンズと、上記対物レンズを通過した光を、所定の平面に結像させる結像レンズとを具備する光学系を、２つ設けることによって構成されることを特徴とする双眼鏡。
【請求項１０】
請求項９において、
上記結像レンズは、上記対物レンズを通過した光を、上記所定の平面にほぼ垂直に結像させるテレセントリック結像レンズであることを特徴とする双眼鏡。
【請求項１１】
請求項９において、
上記対物レンズは、少なくとも１枚のレンズで構成され、上記結像レンズは、少なくとも１枚のレンズで構成されていることを特徴とする双眼鏡。
【請求項１２】
請求項９において、
上記対物レンズは、上記光軸から遠ざかるに従って、上記曲率が連続的にまたは段階的に変化するレンズであることを特徴とする双眼鏡。
【請求項１３】
請求項９において、
上記双眼鏡は、遠隔手術装置に使用され、遠隔からの指令信号によって手術器具を操作する際に、手術部位を中心とする領域を観察するために使用されていることを特徴とする双眼鏡。
【請求項１４】
請求項９において、
上記双眼鏡は、観察ロボットの周囲を観察するために使用されていることを特徴とする双眼鏡。
【請求項１５】
画角が５度〜１２０度の対物レンズであって、光軸から離れるに従って曲率が大きくなる対物レンズと、上記対物レンズを通過した光を、所定の平面に結像させる結像レンズとを具備する光学系を、２つ設けることによって構成される双眼鏡と；
上記双眼鏡によって結像された像を導く光ファイバー群と；
を有することを特徴とする内視鏡。
【発明の詳細な説明】
【背景技術】
【０００１】
従来の双眼鏡として、双眼鏡を使用した立体映像撮影再生装置が知られている（たとえば、特許文献１参照）。
【先行技術文献】
【特許文献】
【０００２】
【特許文献１】特開２００５−１１５２５１公報
【発明の概要】
【発明が解決しようとする課題】
【０００３】
しかし、従来の双眼鏡は、視野の中央部（注目している部位）と、視野の周縁部（注目部位から離れている部位）とを同時に視認することができるが、視野の周縁部の倍率よりも、視野の中央部の倍率を高くして視認することができないという問題がある。
【０００４】
本発明は、視野の中央部（注目している部位）と、視野の周縁部（注目部位から離れている部位）とを同時に視認することができ、しかも、視野の周縁部の倍率よりも、視野の中央部の倍率を高くして視認することができる望遠鏡を提供することを目的とする。
【課題を解決するための手段】
【０００５】
本願の単眼鏡は、光軸から離れるに従って曲率が大きくなる対物レンズと、上記対物レンズを通過した光を、所定の平面に結像させる結像レンズとを具備する。
【発明の効果】
【０００６】
本願発明によれば、視野の注目している部位と、視野の注目部位から離れている部位とを同時に視認することができ、しかも、視野の注目部位から離れている部位の倍率よりも、視野の注目部位の倍率を高くして視認することができるという効果を奏する。
【図面の簡単な説明】
【０００７】
【図１】本発明の実施例１である単眼鏡Ｍ１を示す図である。
【図２】単眼鏡Ｍ１の動作を説明する図である。
【図３】単眼鏡Ｍ１を介して視認しようとする被写体４０を示す図である。
【図４】単眼鏡Ｍ１で撮影した画像５０がディスプレイＤ１に表示されている状態を示す図である。
【図５】本発明の実施例２である単眼鏡Ｍ２を示す図である。
【図６】単眼鏡Ｍ２の動作を説明する図である。
【図７】単眼鏡Ｍ２を介して撮影された画像５０ａがディスプレイＤ２に表示されている状態を示す図である。
【図８】本発明の実施例３である内視鏡ＥＳ１の先端部分を示す図である。
【図９】本発明の実施例６である双眼鏡Ｂ１を示す図である。
【図１０】本発明の実施例７である双眼鏡Ｂ２を示す図である。
【図１１】本発明の実施例８である内視鏡ＥＳ２の先端部分を示す図である。
【発明を実施するための形態】
【０００８】
発明を実施するための形態は、以下の実施例である。
【実施例１】
【０００９】
図１は、本発明の実施例１である単眼鏡Ｍ１を示す図である。
【００１０】
単眼鏡Ｍ１は、鏡胴Ｃと、対物レンズ１０と、テレセントリック結像レンズ２０とを有する。
【００１１】
図２は、単眼鏡Ｍ１の動作を説明する図である。
【００１２】
対物レンズ１０は、画角が５度〜２００度であり、光軸から離れるに従って曲率が徐々に大きくなるレンズである。すなわち、光軸近傍の曲率が所定の値であり、上記光軸から離れた部位の曲率が、上記所定の値よりも大きいレンズである。つまり、対物レンズ１０は、光軸近傍の倍率が大きく、上記光軸から離れた部位の倍率が、光軸近傍の倍率よりも小さいレンズである。なお、対物レンズ１０は、その光軸から周縁に向かって、曲率が連続的に変化し、曲率が次第に大きくなっている。
【００１３】
なお、画角は、５度〜４０度、４０度〜８０度、８０度〜２００度のいずれの画角でもよい。たとえば画角１８０度〜２００度を、レンズのみで実現することが困難であれば、ミラー等を使用することによって、画角１８０度〜２００度を実現することが可能である。また、上記画角は、好ましくは、４０度〜８０度である。
【００１４】
テレセントリック結像レンズ２０は、対物レンズ１０を通過した光を、目３０の網膜に結像させるレンズである。また、テレセントリック結像レンズ２０は、対物レンズ１０を通過した光を、目３０の網膜にほぼ垂直に結像させる結像レンズである。つまり、結像面に対して光軸が垂直な状態で結像する。また、テレセントリック結像レンズ２０は、像側テレセン性を有し、この像側テレセン性は、結像面に対して光軸が垂直に入射する性質である。
【００１５】
なお、人間の目３０の代わりに、受光素子等に結像させる場合には、結像レンズ２０は、対物レンズ１０を通過した光を、受光素子等の所定の平面（受光面等）にほぼ垂直に結像させる結像レンズである。
【００１６】
次に、単眼鏡Ｍ１の動作について説明する。
【００１７】
図３は、単眼鏡Ｍ１を介して視認しようとする被写体４０を示す図である。
【００１８】
被写体４０は、英文字のＦであり、上側の横線４１と、縦線４２と、中央部の横線４３とによって構成されている。横線４１、縦線４２と、横線４２とは、その太さが互いに同じである。
【００１９】
図４は、単眼鏡Ｍ１を介して見た画像５０がディスプレイＤ１に表示されている状態を示す図である。
【００２０】
単眼鏡Ｍ１を介して、人間の目３０で視認するが、説明の都合上、目３０の網膜に相当する位置に受光素子を配置し、この受光素子で受光し、受光素子が出力した電気信号に基づいて、ディスプレイＤ１に表示した場合における画像５０が、図４に記載されている。
【００２１】
図４に示すように、英文字Ｆである被写体４０の画像５０は、横線５１と、縦線５２と、横線５３とによって構成され、横線５１、縦線５２、横線５３は、それぞれ、横線４１、縦線４２、横線４３に対応している。そして、横線５１、縦線５２の太さが細く、横線５３の太さが太い。つまり、横線５３は、視野の中央部に位置する像の一部分であり、これが対物レンズ１０の中央部によって拡大されるので、横線５３の太さが太くかつ長くなる。一方、横線５１、縦線５２が、視野の縁部分に位置する像であり、この像の光が対物レンズ１０の周縁部を通過し、対物レンズ１０の周辺部では、像の拡大が少なく、しかも中央部（光軸上の位置）から遠い位置に存在しているので、横線５１、縦線５２の太さは細くなる。
【００２２】
単眼鏡Ｍ１によれば、画角が広いので、注目部位（視野の中央部）から離れている部位を、注目部位と同時に視認できるので、注目部位が景色全体のうちで、どの部分であるのかを、単眼鏡Ｍ１を覗いただけで認識することができる。しかも、対物レンズ１０の光軸近傍の曲率が、対物レンズ１０の周辺部における曲率よりも小さいので、注目部位の視野の倍率が高くなり、単眼鏡Ｍ１を覗けば、注目部位を詳細に視認することができる。
【００２３】
実施例１において、対物レンズ１０は、その光軸から遠ざかるに従って、その曲率が連続的に変化するが、このようにする代わりに、段階的に曲率が変化するレンズであってもよい。２段階でも３段階でもまた４段階以上でも、曲率が変化するレンズであってもよい。
【００２４】
上記のように段階的に曲率が変化する場合、単眼鏡Ｍ１を覗いた画像５０に連続性が無いが、単眼鏡Ｍ１を覗いた画像５０の中央部に表示される画像に欠落がないようにレンズ設計することができる。
【００２５】
また、着目点（視野の中央部）から離れた部位の映像は、従来の単眼鏡では視野の外であり、ファインダーから見ることができないが、実施例１では、着目点（視野の中央部）から離れた部位の映像が、視野の周縁部に映るので、ファインダーから見ることができる。つまり、単眼鏡を向けている外界の全体の映像のうちで着目点がどの位置に存在しているかを、ファインダーを覗いている状態で、操作者が容易に把握することができる。
【００２６】
たとえば、サッカーの試合を観客席から観戦して単眼鏡Ｍ１を覗いた場合、ボールを蹴っている選手を視野の中心に据えると、倍率にもよるが、ボールを蹴っている選手の姿とボールとが視野の中心にたとえば８倍に鮮明に映し出され、ボールを蹴っている選手から少し離れている相手選手の姿がたとえば６倍で映し出され、これら２人の選手以外のもっと離れている選手、審判、ゴール等がたとえば４倍で、視野の周縁部に小さく映し出される。したがって、ボールを中心とする選手たちの大まかな陣容を、視野の周縁部の映像で視認することができる。これと同時に、ボールの直近の選手の状態を、視野の中心にしかも他の部分よりも拡大され、鮮明に視認することができる。他のスポーツでも上記と同様に観戦することができる。よって、スポーツを従来よりもより楽しく観戦することができる。
【００２７】
スポーツに限らず、山、海等の自然の風景を単眼鏡Ｍ１で見る場合も、広い視野を拡大してみることができるとともに、注目する部分をより拡大して見ることができる。
【００２８】
また、テレセントリック結像レンズ２０を使用しているので、対物レンズ１０を通過した光が、目３０の網膜にほぼ垂直に結像される。したがって、目３０の網膜と、テレセントリック結像レンズ２０との距離が、多少変化しても、網膜における像の倍率が変わらない。つまり、テレセントリック結像レンズ２０から目３０の網膜までの距離が、製造上、多少変化しても、ピントが変化するものの、結像の倍率が変化しないので、製造上、位置決めの許容度が高い。
【００２９】
なお、実施例１において、テレセントリック結像レンズ２０の代わりに、テレセントリックではない結像レンズを使用するようにしてもよい。ただ、この場合、目３０の位置が、光軸方向にずれると、目３０の網膜に結像される像の倍率が変化する。
【００３０】
単眼鏡Ｍ１は、立体感が向上する。つまり、単眼鏡Ｍ１を覗いた場合の視野の中心部が拡大され、その視野の周縁部が中心部よりも小さいので、奥行感が強調され、この結果、立体感が向上する。
【００３１】
単眼鏡Ｍ１を覗きながら単眼鏡Ｍ１を動かした場合、つまり、単眼鏡Ｍ１を左右または上下に移動して視野を動かした場合でも、目がまわらない。すなわち、単眼鏡Ｍ１を覗いた視野の中心部が拡大されるので、人間の意識が視野の中心部に集中し、また、上記中心部から離れた被写体も単眼鏡Ｍ１の視野に入る。一方、人間が物体を見る場合、物体の中心部に意識が集中し、また、物体の中心部の周辺も視野に入っている。したがって、単眼鏡Ｍ１を覗きながら単眼鏡Ｍ１を動かした場合の感覚は、単眼鏡Ｍ１を使用せずに人間が目視した場合の自然な感覚に近い。よって、単眼鏡Ｍ１を使用した場合に違和感がないので、単眼鏡Ｍ１を覗きながら単眼鏡Ｍ１を動かしても目がまわらない。
【実施例２】
【００３２】
図５は、本発明の実施例２である単眼鏡Ｍ２を示す図である。
【００３３】
単眼鏡Ｍ２は、対物レンズ１０と、リレーレンズＬ１と、テレセントリック結像レンズ２０とを有し、テレセントリック結像レンズ２０が、レンズ２１、２２を具備する。
【００３４】
リレーレンズＬ１が、対物レンズ１０とテレセントリック結像レンズ２０との間に設けられている。
【００３５】
図６は、単眼鏡Ｍ２の動作を説明する図である。
【００３６】
図７は、単眼鏡Ｍ２を介して撮影された画像５０ａがディスプレイＤ２に表示されている状態を示す図である。
【００３７】
図７に示すように、英文字Ｆである被写体４０の画像５０ａは、横線５１ａと、縦線５２ａと、横線５３ａとによって構成されているが、横線５１ａ、縦線５２ａの太さが細く、横線５３ａの太さが太くかつ長い。このようになるのは、横線５１ａ、縦線５２ａが、視野の縁部分に対応する像であるので、それらの太さが細くなる。一方、横線５３ａは、視野の中央部に対応する像であり、しかも、対物レンズ１０の光軸近傍の曲率が比較的小さいので、そこを通過する像が拡大され、横線５３ａの太さが太くなりかつ長くなる。
【００３８】
なお、テレセントリック結像レンズ２０が、３枚以上のレンズで構成されていてもよい。つまり、テレセントリック結像レンズ２０は、少なくとも１枚のレンズで構成されている。
【００３９】
また、実施例１、２では、対物レンズ１０が１枚のレンズで構成されているが、２枚以上で構成されていてもよく、つまり、対物レンズ１０は、少なくとも１枚のレンズで構成されている。
【実施例３】
【００４０】
図８は、本発明の実施例３である内視鏡ＥＳ１の先端部分を示す図である。
【００４１】
内視鏡ＥＳ１の先端部分は、単眼鏡Ｍ１と、光ファイバー群ＦＧの端部とによって構成されている。単眼鏡Ｍ１で結像された画像が、光ファイバー群ＦＧの一端から他端に導かれる。
【００４２】
なお、内視鏡は近年、その管の直径が小さくなっているが、単眼鏡Ｍ１の幅をたとえば３ｍｍ以下、または１ｍｍ以下で製造することができるので、光ファイバー群ＦＧの先端に単眼鏡Ｍ１を設けても、内視鏡全体の太さが太くはならい。
【００４３】
また、内視鏡ＥＳ１において、単眼鏡Ｍ１の代わりに、単眼鏡Ｍ２を使用するようにしてもよい。
【００４４】
つまり、実施例１、２において、テレセントリック結像レンズ２０による像の結像位置と、人間の目３０との間に、光ファイバー群ＦＧを設け、この太さを、喉または鼻を通る程度の太さに設定すれば、内視鏡になり、食道、胃、大腸等の消化器系を視認することができる。この場合、内視鏡ＥＳ１が撮影した視野の中央部の倍率が高いので、注目点を鮮明に視認することができ、同時に、実施例１、２における画角が広いので、現在の注目点が、たとえば胃のどの部位であるのかを的確に把握することができる。
【００４５】
また、光ファイバー群ＦＧを介して、単眼鏡Ｍ１を覗いた場合の視野の中心部が拡大され、その視野の周縁部が中心部よりも小さいので、奥行感が強調され、この結果、立体感が向上する。
【実施例４】
【００４６】
本発明の実施例４は、図示しないが、単眼鏡Ｍ１またはＭ２が遠隔手術装置（遠隔操作装置）に使用されている実施例である。
【００４７】
遠隔手術は、手術を受ける患者と手術を行う医者とが離れている状態で行う手術である。たとえば、都会の病院に勤務する医者が、離島の病院に入院している患者を手術する場合、患者の周囲にマニピュレータ（マジックハンド）を設け、このマニピュレータがメス等の医療器具をハンドリングし、遠隔地の医者が、患者の状態を観察しつつ、操作手段を操作し、この操作手段による操作内容（指令信号）が電気信号として、上記マニピュレータに有線または、無線で送信され、この電気信号に応じた動きをマニピュレータが実行し、手術が行われる。
【００４８】
つまり、上記実施例４は、単眼鏡Ｍ１が遠隔手術装置に使用され、遠隔からの指令信号によって手術器具を操作する際に、患者の手術対象である患部（手術部位）を中心とする領域を観察するために使用されている。
【００４９】
この場合、実施例４では、患者の手術対象である患部（手術部位）だけではなく、患部の周囲の画像も医師側の表示装置に送信され、しかも、着目部位である患部の画像の倍率が、患部の周囲の画像よりも高いので、医者は、患部の状態を鮮明に視認することができるとともに、患部の周囲の状況をも的確に把握することができ、したがって、的確な手術を行うことができる。
【実施例５】
【００５０】
本発明の実施例５は、図示しないが、単眼鏡Ｍ１が観察ロボットに使用されている実施例である。
【００５１】
観察ロボットのうちでも、移動可能なロボットに単眼鏡Ｍ１が取り付けられている場合、実施例５において、画角を広くすれば、観察ロボットの足元を確実に撮影することができる。上記観察ロボットを、人間が入ると障害のある領域（粉塵が多い領域、高温高湿の領域、爆発の可能性がある領域、放射線が強い領域等）を観察するのに適しているが、このような領域では、足元等の観察ロボットの周辺に障害物が散乱していることが多い。この場合、観察ロボットにＣＣＤカメラを搭載し、このＣＣＤカメラの前に単眼鏡Ｍ１を装着すれば、単眼鏡Ｍ１によって得た画像情報を、有線又は無線で離れたコントロールセンター等に送信することができる。そして、観察ロボットが移動する際に、遠隔地に存在しているオペレータが、上記障害物を確実に視認できるので、観察ロボットが障害物に衝突したり、接触したりすることがなく、また、視野狭窄による見落としが減少し、したがって、効率的かつ見落としが少ない観察を行うことができる。
【００５２】
また、上記各実施例において、対物レンズ１０として、光軸から離れるに従って曲率が大きくなるレンズ部分が、上記対物レンズ中の一部分であり、上記一部分以外の部分は、一定の曲率を具備する対物レンズを使用するようにしてもよい。この場合、対物レンズ１０中の上記一部分は、円形の領域、楕円形の領域、半円形の領域、扇状の領域、三角形の領域、四角形の領域、五角形以上の角形の領域のいずれかの領域であってもよい。
【実施例６】
【００５３】
図９は、本発明の実施例６である双眼鏡Ｂ１を示す図である。
【００５４】
双眼鏡Ｂ１は、鏡胴Ｃ１、Ｃ２と、２つの光学系１００とを有する。つまり、鏡胴Ｃ１に、１つ目の光学系１００が収納され、鏡胴Ｃ２に、２つ目の光学系１００が収納されている。なお、鏡胴Ｃ１に、ポロプリズムＰＰ１、ＰＰ２が設けられ、鏡胴Ｃ２に、ポロプリズムＰＰ１、ＰＰ２が設けられている。
【００５５】
また、ポロプリズムＰＰ１、ＰＰ２の代わりに、シュミットプリズム（直胴プリズム）であってもよい。双眼鏡Ｂ１は、ポロプリズム式双眼鏡であるが、ガリレオ式、ダハプリズム式等、他の種類の双眼鏡であってもよい。
【００５６】
光学系１００は、対物レンズ１０と、テレセントリック結像レンズ２０とを有する。
【００５７】
対物レンズ１０は、画角が５度〜１２０度であり、光軸から離れるに従って曲率が大きくなる対物レンズである。なお、画角は、５度〜４０度、４０度〜８０度、８０度〜１２０度のいずれの画角でもよい。すなわち、光軸近傍の曲率が所定の値であり、上記光軸から離れた部位の曲率が、上記所定の値よりも大きいレンズである。つまり、対物レンズ１０は、光軸近傍の倍率が大きく、上記光軸から離れた部位の倍率が、光軸近傍の倍率よりも小さいレンズである。なお、対物レンズ１０は、その光軸から周縁に向かって、曲率が連続的に変化し、曲率が次第に大きくなっている。
【００５８】
双眼鏡Ｂ１における動作は、図３、４において説明した動作を同様である。
【００５９】
実施例６において、対物レンズ１０は、その光軸から遠ざかるに従って、その曲率が連続的に変化するが、このようにする代わりに、段階的に曲率が変化するレンズであってもよい。２段階でも３段階でもまた４段階以上でも、曲率が変化するレンズであってもよい。
【００６０】
上記のように段階的に曲率が変化する場合、双眼鏡Ｂ１を覗いた画像５０に連続性が無いが、双眼鏡Ｂ１を覗いた画像５０の中央部に表示される画像に欠落がないようにレンズ設計することができる。また、着目点（視野の中央部）から離れた部位の映像は、従来の双眼鏡では視野の外であり、ファインダーから見ることができないが、実施例６では、着目点（視野の中央部）から離れた部位の映像が、視野の周縁部に映るので、ファインダーから見ることができる。つまり、双眼鏡を向けている外界の全体の映像のうちで着目点がどの位置に存在しているかを、ファインダーを覗いている状態で、操作者が容易に把握することができる。
【００６１】
双眼鏡Ｂ１は、目の欠陥部分（たとえば、盲点）を補完することができるので、よりリアルな画像を見ることができる。つまり、左目の盲点を、右目の盲点以外の部分で補完するので、完全な映像を視覚的に認識することができる。また、双眼鏡Ｂ１は、立体感が向上する。つまり、双眼鏡Ｂ１を覗いた場合の視野の中心部が拡大され、その視野の周縁部が中心部よりも小さいので、奥行感が強調され、この結果、立体感が向上する。
【００６２】
双眼鏡Ｂ１を覗きながら双眼鏡Ｂ１を動かした場合、つまり、双眼鏡Ｂ１を左右または上下に移動して視野を動かした場合でも、目がまわらない。すなわち、双眼鏡Ｂ１を覗いた視野の中心部が拡大されるので、人間の意識が視野の中心部に集中し、また、上記中心部から離れた被写体も双眼鏡Ｂ１の視野に入る。一方、人間が物体を見る場合、物体の中心部に意識が集中し、また、物体の中心部の周辺も視野に入っている。したがって、双眼鏡Ｂ１を覗きながら双眼鏡Ｂ１を動かした場合の感覚は、双眼鏡Ｂ１を使用せずに人間が目視した場合の自然な感覚に近い。よって、双眼鏡Ｂ１を使用した場合に違和感がないので、双眼鏡Ｂ１を覗きながら双眼鏡Ｂ１を動かしても目がまわらない。
【実施例７】
【００６３】
図１０は、本発明の実施例７である双眼鏡Ｂ２を示す図である。
【００６４】
双眼鏡Ｂ２は、双眼鏡Ｂ１において、光学系１００の代わりに、光学系２００を設けたものである。
【００６５】
双眼鏡Ｂ２を構成する光学系２００の動作は、図６、図７について行った説明と同様である。また、
【実施例８】
【００６６】
図１１は、本発明の実施例８である内視鏡ＥＳ２の先端部分を示す図である。
【００６７】
内視鏡ＥＳ２の先端部分は、双眼鏡Ｂ１と、光ファイバー群ＦＧ１、ＦＧ２の端部とによって構成されている。双眼鏡Ｂ１の一方の単眼鏡（鏡胴Ｃ１に収納されている光学系１００）で結像された画像が、光ファイバー群ＦＧ１の一端から他端に導かれる。また、双眼鏡Ｂ１の他方の単眼鏡（鏡胴Ｃ２に収納されている光学系１００）で結像された画像が、光ファイバー群ＦＧ２の一端から他端に導かれる。つまり、光ファイバー群ＦＧ１、ＦＧ２は、双眼鏡Ｂ１によって結像された像を導く。
【００６８】
なお、内視鏡は近年、その管の直径が小さくなっているが、双眼鏡Ｂ１の幅をたとえば３ｍｍ以下、または１ｍｍ以下で製造することができるので、光ファイバー群ＦＧ１、ＦＧ２の先端に双眼鏡Ｂ１を設けても、内視鏡全体の太さが太くはならい。
【００６９】
また、双眼鏡Ｂ１の代わりに、双眼鏡Ｂ２を使用するようにしてもよい。
【００７０】
つまり、実施例６、実施例７において、テレセントリック結像レンズ２０による像の結像位置と、人間の目３０との間に、光ファイバー群ＦＧ１、ＦＧ２を設け、この太さを、喉または鼻を通る程度の太さに設定すれば、内視鏡になり、食道、胃、大腸等の消化器系を視認することができる。この場合、内視鏡ＥＳ２が撮影した視野の中央部の倍率が高いので、注目点を鮮明に視認することができ、同時に、実施例６、２における画角が広いので、現在の注目点が、たとえば胃のどの部位であるのかを正確に把握することができる。
【００７１】
また、光ファイバー群ＦＧ１、ＦＧ２を介して、双眼鏡Ｂ１またはＢ２を覗いた場合の視野の中心部が拡大され、その視野の周縁部が中心部よりも倍率が低いので、奥行感が強調され、この結果、立体感が向上する。また、内視鏡ＥＳ２において、視差が少ないとはいえ、視差があるので、立体感が出る。したがって、内視鏡ＥＳ２を使用する医師等が、三次元画像としてより認識することができ、内視鏡ＥＳ２の先端部分の周囲の状況をより正確に把握することができる。
【実施例９】
【００７２】
本発明の実施例９は、図示しないが、双眼鏡Ｂ１またはＢ２が遠隔手術装置（遠隔操作装置）に使用されている実施例である。
【００７３】
つまり、実施例９は、双眼鏡Ｂ１、Ｂ２が遠隔手術装置に使用され、遠隔からの指令信号によって手術器具を操作する際に、患者の手術対象である患部（手術部位）を中心とする領域を観察するために使用されている。
【００７４】
また、双眼鏡Ｂ１、Ｂ２は、いわば人間の両目であるので、遠隔手術装置（遠隔操作装置）を使用する医師等が、画像を立体的に認識することができ（三次元画像で認識することができ）、遠隔手術装置（遠隔操作装置）の周囲の状況をより正確に把握することができる。
【実施例１０】
【００７５】
本発明の実施例１０は、図示しないが、双眼鏡Ｂ１またはＢ２が観察ロボットに使用されている実施例である。
【００７６】
観察ロボットのうちでも、移動可能なロボットに双眼鏡Ｂ１またはＢ２が取り付けられている場合、実施例１０において、画角を広くすれば、観察ロボットの足元を確実に撮影することができる。上記観察ロボットを、人間が入ると障害のある領域（粉塵が多い領域、高温高湿の領域、爆発の可能性がある領域、放射線が強い領域等）を観察するのに適しているが、このような領域では、足元等の観察ロボットの周辺に障害物が散乱していることが多い。この場合、観察ロボットにＣＣＤカメラを搭載し、このＣＣＤカメラの前に双眼鏡Ｂ１またはＢ２を装着すれば、双眼鏡Ｂ１またはＢ２によって得た画像情報を、有線又は無線で離れたコントロールセンター等に送信することができる。そして、観察ロボットが移動する際に、遠隔地に存在しているオペレータが、上記障害物を確実に視認できるので、観察ロボットが障害物に衝突したり、接触したりすることがなく、また、視野狭窄による見落としが減少し、したがって、効率的かつ見落としが少ない観察を行うことができる。
【００７７】
しかも、双眼鏡Ｂ１またはＢ２は、いわば人間の両目であるので、コントロールセンターにおけるオペレータ等が、画像を立体的に認識することができ（三次元画像で認識することができ）、ロボットの周囲の状況をより適切に把握することができる。
【符号の説明】
【００７８】
Ｍ１、Ｍ２…単眼鏡、
１０…対物レンズ、
２０…テレセントリック結像レンズ、
３０…目、
４０…被写体、
Ｄ１、Ｄ２…ディスプレイ、
ＥＳ１…内視鏡、
Ｂ１、Ｂ２…双眼鏡、
１００、２００…光学系、
ＥＳ２…内視鏡。
【図１】
2014228698.tif 000003
【図２】
2014228698.tif 000004
【図３】
2014228698.tif 000005
【図４】
2014228698.tif 000006
【図５】
2014228698.tif 000007
【図６】
2014228698.tif 000008
【図７】
2014228698.tif 000009
【図８】
2014228698.tif 000010
【図９】
2014228698.tif 000011
【図１０】
2014228698.tif 000012
【図１１】
2014228698.tif 000013